(57)【特許請求の範囲】
【請求項１】
多角形状に形成された可撓性のシート材を用いた床用シート材において、上記のシート材の少なくとも一辺に沿ってその端面から側方に突出するように、上面が開口された溝形状になった収容凹部を有するガイド部材が取り付けられると共に、このガイド部材の収容凹部内に発光部材及び／又は蓄光部材が収容されていることを特徴とする床用シート材。
【請求項２】
請求項１に記載した床用シート材において、上記のシート材が四角形状に形成されていることを特徴とする床用シート材。
【請求項３】
請求項１又は請求項２に記載した床用シート材において、上記のシート材がタイルカーペットであることを特徴とする床用シート材。
【請求項４】
請求項１〜３の何れか１項に記載した床用シート材において、上記の発光部材及び／又は蓄光部材が透光性の外装体の内部に収容されて、ガイド部材の収容凹部の上面より下に位置されていることを特徴とする床用シート材。
【請求項５】
請求項１〜４の何れか１項に記載した床用シート材において、上記のガイド部材に上記のシート材の底面側に延出された保持部が設けられていることを特徴とする床用シート材。
【請求項６】
請求項１〜５の何れか１項に記載した床用シート材において、その底面に粘着剤が付与されていることを特徴とする床用シート材。
【請求項７】
請求項１〜６の何れか１項に記載した床用シート材において、シート材にガイド部材を取り付けた状態の大きさが、規格化された大きさになっていることを特徴とする床用シート材。
【発明の詳細な説明】
【技術分野】
【０００１】
この発明は、床に敷設する床用シート材に係り、特に、多角形状に形成された可撓性のシート材を用いた床用シート材において、歩行を誘導するためのガイド的な機能や、床の区画を明確にするなどの機能を発揮させることができ、また意匠的にも優れた床を敷設できる等、様々な利点を有する床用シート材に関するものである。
【背景技術】
【０００２】
従来より、床には様々な床用シート材が敷設されており、クッション性等を向上させる目的で、弾力性のある可撓性樹脂シートやカーペット等が敷設されており、さらに近年においては、施工性を高めると共に部分的な交換等が簡単に行えるようにするため、所定の大きさに形成した床用シート材を用いることが行われている。
【０００３】
そして、このように所定の大きさに形成した床用シート材としては、可撓性の樹脂タイルやタイルカーペット等が使用されており、通常は、これらの床用シート材の裏面に粘着剤を付与し、この床用シート材を床の所定位置に順々に密接させて敷設し、必要に応じて、このように敷設した床用シート材を剥離させて交換できるようにしている。
【０００４】
しかし、このように樹脂タイルやタイルカーペット等の床用シート材を床の所定位置に順々に敷設させただけでは、歩行を誘導するためのガイド的な機能や、床の区画を明確にするなどの機能はなく、特に、停電時、消灯時、夜間等においては、床の状態を適切に確認することができず、歩行が困難になるという問題があり、さらに意匠的にも必ずしも満足できるものではなかった。
【０００５】
また、上記の床用シート材の裏面に粘着剤を設け、床の所定位置に順々に密接させて敷設させた場合、一部の床用シート材を剥して取り替える作業が非常に面倒になる等の問題もあった。
【０００６】
また、従来においては、特許文献１に示されるように、タイルとタイルとの間の目地にＬＥＤ等の発光体を設けるようにしたものが提案されているが、その施工が面倒であると共に、タイル及びタイル間に設けた発光体等を簡単に交換したりすることが非常に困難になる等の問題があった。
【特許文献１】特開２００１−１４０４３９号公報
【発明の開示】
【発明が解決しようとする課題】
【０００７】
この発明は、床に敷設する床用シート材における上記のような様々な問題を解決することを課題とするものであり、特に、多角形状に形成された可撓性のシート材を用いた床用シート材において、歩行を誘導するためのガイド的な機能や、床の区画を明確にするなどの機能を発揮させることができ、また意匠的にも優れた床を敷設できる等、様々な利点を有する床用シート材を提供することを課題とするものである。
【課題を解決するための手段】
【０００８】
この発明における床用シート材においては、上記のような課題を解決するため、多角形状に形成された可撓性のシート材の少なくとも一辺に沿ってその端面から側方に突出するように、上面が開口された溝形状になった収容凹部を有するガイド部材を取り付けると共に、このガイド部材の収容凹部内に発光部材及び／又は蓄光部材を収容させるようにした。
【０００９】
ここで、上記のシート材は上記のガイド部材を取り付ける辺を有する多角形状であれば、その形状は特に限定されないが、従来から一般に使用されている床用シート材との互換性を考慮すると、一般に使用されている正方形状や長方形状などの四角形状であることが好ましい。また、この床用シート材の大きさも、シート材にガイド部材を取り付けた状態の大きさが、従来から一般に使用されている規格化された大きさと同じ大きさであることが好ましい。なお、ガイド部材を取り付けるシート材の辺は一辺に限られず、２以上の辺に取り付けるようにすることも当然可能である。
【００１０】
また、上記のシート材としては、従来から一般に使用されている可撓性の樹脂タイルやタイルカーペット等を用いることができる。そして、このシート材にタイルカーペットを用いた場合には、このタイルカーペットにおけるパイルによってガイド部材が目立たなくなり、特に、このパイル長を適切な長さに調整することにより、ガイド部材自体を目立たなくして、ガイド部材の収容凹部内に収容させた収容物だけを目立つようにすることもできるようになる。
【００１１】
また、この床用シート材を床に敷設させるにあたっては、その底面に粘着剤を付与して、この床用シート材を床の上に剥離可能に貼付させるようにすることができる。
【００１２】
また、上記のシート材の少なくとも一辺に沿ってその端面から側方に突出するように、上面が開口された溝形状になった収容凹部を有するガイド部材を取り付けるにあたっては、このガイド部材をシート材の一辺の端面に接着剤などで接着させるようにすることができる。
【００１３】
また、ガイド部材をシート材の一辺に強く取り付けて、ガイド部材がシート材から簡単に外れないようにすると共に、床の上に貼付された床用シート材をこのガイド部材を持って適切に剥離できるようにするため、ガイド部材に上記のシート材の底面側に延出された保持部を設け、この保持部の上にシート材を接着させるようにすることが好ましい。
【００１４】
また、この発明における床用シート材においては、シート材の辺に沿って取り付けたガイド部材における上記の収容凹部内に発光部材及び／又は蓄光部材を収容させ、停電時、消灯時、夜間等において、床の状態を適切に確認することができるようにして、安全に案内が行えるようにしている。
【発明の効果】
【００１５】
この発明における床用シート材においては、上記のように多角形状に形成された可撓性のシート材の少なくとも一辺に沿ってその端面から側方に突出するように、上面が開口された溝形状になった収容凹部を有するガイド部材を取り付けると共に、このガイド部材の収容凹部内に発光部材及び／又は蓄光部材を収容させたため、この床用シート材を床の所定の位置に適切に敷設して、上記のガイド部材を適切に配列させることにより、歩行を誘導するためのガイド的な機能や、床の区画を明確にするなどの機能を発揮させることができ、また意匠的にも優れた床を得ることができるようになる。さらに、上記のように収容凹部内に発光部材及び／又は蓄光部材を収容させたため、停電時、消灯時、夜間等においても、床の状態を適切に確認することができるようになり、安全な案内が行えるようになる。
【００１６】
また、この発明における床用シート材において、シート材にガイド部材を取り付けた状態の大きさを、従来から一般に使用されている規格化された床用シート材と同じ大きさにすると、先に敷設されている従来の床用シート材をこの発明における床用シート材に置き換えることができ、先に敷設されている従来の床用シート材の少なくとも一部をこの発明における床用シート材に置き換えることによって、従来の床に上記のような機能を付与することが簡単に行えるようになる。
【００１７】
また、この発明における床用シート材において、上記のガイド部材にシート材の底面側に延出された保持部を設け、この保持部の上にシート材を接着させるようにすると、ガイド部材にシート材が強く取り付けられるようになり、ガイド部材がシート材から簡単に外れるのが防止されると共に、このガイド部材を持って床用シート材を床から簡単に剥離させることができ、床の上に貼付された床用シート材を交換する作業が容易に行えるようになる。
【発明を実施するための最良の形態】
【００１８】
以下、この発明の実施形態に係る床用シート材を添付図面に基づいて具体的に説明する。なお、この発明に係る床用シート材は、特に下記の実施形態に示したものに限定されるものではなく、その要旨を変更しない範囲において適宜変更して実施できるものである。
【００１９】
この実施形態に係る床用シート材Ａにおいては、図１に示すように、可撓性のシート材１０として、パイル１１が植設された基布１２の裏面に裏打ち材１３が設けられたタイルカーペット１０を用いるようにした。なお、可撓性のシート材１０はこのようなタイルカーペットに限定されず、ポリ塩化ビニル樹脂、ポリエチレン樹脂、エチレン−ビニル共重合樹脂等の熱可塑性樹脂で構成された可撓性の樹脂タイル等を用いることもできる。
【００２０】
ここで、上記のパイル１１には、一般にＢＣＦナイロン，ポリプロピレン等の合成樹脂繊維や天然繊維が用いられる。
【００２１】
また、上記の基布１２は、織布又は不織布等のシート体からなり、上記のパイル１１を十分に植設でき且つ破損などを生じない強度的にも優れたものであれば特にその素材は限定されず、例えば、ポリエステル、ポリプロピレン、ポリエチレン、ポリアミド、ポリビニルアルコール、ポリ塩化ビニル、ポリアクリロニトリル、ポリウレタン等の合成繊維や、セルロース、ウール等の天然繊維を１種又は２種以上組み合わせて使用することができる。
【００２２】
また、基布１２の裏面に設けられる上記の裏打ち材１３としては、例えば、塩化ビニル樹脂等のペーストゾル等を用いることができ、必要に応じて、カーボンブラック等の黒色顔料などの各種顔料、炭酸カルシウム、硫酸バリウムなどの充填剤、安定剤、老化防止剤などを混合してもよい。
【００２３】
ここで、裏打ち材１３は合成樹脂からなる単層のものであってよいが、この実施形態においては、パイル１１が植設された基布１２を安定的に固定するための合成樹脂ペーストゾル等からなる結合層１３ａを基布１２の裏面に設けると共に、この結合層１３ａの裏面にガラス繊維製ヤーンの網状体等からなる補強布１３ｂを設け、さらにこの補強布１３ｂの裏面に、ポリ塩化ビニル、ポリプロピレン、ポリエチレン、エチレン−酢酸ビニル共重合体等の合成樹脂や、ＳＢＲ、ＮＢＲ等の合成ゴム等からなるバッキング材１３ｃを設けている。
【００２４】
そして、図２に示す床用シート材Ａにおいては、上記のタイルカーペット１０を所定の大きさの正方形よりも縦、横何れか一方の長さがガイド部材２０の幅だけ短くなった四角形状に切断させると共に、このタイルカーペット１０の長い方の一辺に沿って溝形状になった収容凹部２１を有するガイド部材２０を取り付けており、このようにタイルカーペット１０の一辺にガイド部材２０を取り付けた状態の大きさが、一般に使用されている規格化されたタイルカーペットの大きさ、例えば５０ｃｍ×５０ｃｍの正方形状になるようにしている。なお、上記のタイルカーペット１０におけるパイル１１の長さは、前記のようにガイド部材２０自体が目立たなくなって、ガイド部材２０の収容凹部２１内に収容させた収容物だけが目立つような長さにすることが好ましい。
【００２５】
また、上記の床用シート材Ａにおいては、ガイド部材２０をタイルカーペット１０の複数の辺に沿って取り付けるようにすることも可能であり、例えば、図３に示すようにタイルカーペット１０の対向する二辺にガイド部材２０を取り付ける場合には、タイルカーペット１０を所定の大きさの正方形よりも縦、横何れか一方の長さがガイド部材２０の２倍の幅だけ短くなった四角形状に切断し、このタイルカーペット１０の長い方の対向する二辺に沿って上記のガイド部材２０を取り付けるようにする。
【００２６】
また、図４に示すようにタイルカーペット１０の交差する二辺にガイド部材２０を取り付ける場合には、タイルカーペット１０を所定の大きさの正方形よりも縦、横双方の長さがガイド部材２０の幅だけ短くなった正方形状に切断し、このタイルカーペット１０の交差する二辺にそれぞれ上記のガイド部材２０を取り付けると共に、ガイド部材２０相互が交差する端部にそれぞれ傾斜した止め切り加工を施して、両ガイド部材２０の収容凹部２１相互が連通するようにしてガイド部材２０相互を接合させるようにする。なお、同様にしてタイルカーペット１０の他の辺に沿ってガイド部材２０を取り付けることも可能である。
【００２７】
また、上記のようにタイルカーペット１０の辺に沿って溝形状になった収容凹部２１を有するガイド部材２０を取り付けるにあたり、この実施形態においては、図５に示すように、上記のガイド部材２０の底部からタイルカーペット１０の底面側に延出された保持部２２を設け、この保持部２２の上にタイルカーペット１０を保持させるようにして、タイルカーペット１０とガイド部材２０とを接着させるようにしている。このようにすると、タイルカーペット１０がガイド部材２０の一側面と保持部２２とに接着されて強固に取り付けられるようになる。
【００２８】
ここで、上記のようにガイド部材２０の保持部２２の上にタイルカーペット１０をそのままの状態で保持させるようにして、タイルカーペット１０とガイド部材２０とを接着させた場合、保持部２２に保持されたタイルカーペット１０の部分が保持部２２の厚み分だけ持ち上がった状態になるが、一般にこの保持部２２の厚みは薄く、またタイルカーペット１０のパイル１１部分が変形する等によって厚みの変化が目立つということはない。
【００２９】
また、保持部２２に保持されたタイルカーペット１０の部分が保持部２２の厚み分だけ持ち上がるのを防止するため、図６に示すように、保持部２２に保持される上記のタイルカーペット１０における裏打ち材１３の一部に切欠を設けて、タイルカーペット１０の高さを一定にすることも可能である。なお、このようにすると、タイルカーペット１０がガイド部材２０の一側面と保持部２２とに接着されて強固に取り付けられると共に、床用シート材Ａの高さを一定にしながら、保持部２２の厚みを厚くして強度を高めることも可能になる。
【００３０】
さらに、床用シート材Ａの高さを一定にするために、図７に示すように、ガイド部材２０の保持部２２をなくし、溝形状になったガイド部材２０の一側面だけをタイルカーペット１０に接着させるようにすることも可能であり、この場合、タイルカーペット１０の端部の柔軟性を保つことができるようになる。
【００３１】
そして、上記の床用シート材Ａをコンクリート床等の床Ｆの上に敷設するにあたっては、ガイドの役割を果たすようにしたり、床を適当に区画させたりする等、それぞれの目的に応じて、上記の図２〜図４等に示すようにしてタイルカーペット１０の適当な辺に沿ってガイド部材２０を取り付けた各種の床用シート材Ａを適当に組み合わせて用い、各床用シート材Ａの底面に粘着剤を付与して床Ｆの適当な位置に順々に剥離可能に貼付させると共に、各床用シート材Ａに設けられたガイド部材２０における収容凹部２１内に、それぞれの目的に応じて適当な収容物を収容させるようにする。
【００３２】
そして、この実施形態においては、上記のガイド部材２０における収容凹部２１内に、図９に示すように、樹脂などで構成された透光性の外装体３１の内部にＬＥＤ等の発光体３２を収容させた発光部材３０を、収容凹部２１の上面より下に位置するようにして収容させている。このようにすると、この発光部材３０の発光体３２を発光させることにより、夜間等においても、床Ｆの状態を適切に確認して、安全に案内が行えるようになる。また、上記のように発光部材３０を収容凹部２１の上面より下に位置するようにして収容させると、外装体３１の上面が傷ついて、発光部材３０からの光量が低下するのが防止されると共に、発光部材３０が破損するのも防止されるようになる。
【００３３】
さらに、上記の発光部材３０を収容させた外装体３１の少なくとも上面部に公知の蓄光性材料を添加させるようにすると、停電時等において上記の発光体３２による発光が停止した場合にも、上記のように蓄光性材料が添加された外装体３１が発光体３２の発光停止後もある程度の時間、光を発しつづけるようになり、適切にガイドの役割を果たすことができる。
【００３４】
なお、ガイド部材２０における収容凹部２１内に、上記の発光部材３０の他に、例えば、適当な色彩に着色されたカラー樹脂部材（図示せず）等を収容させて、昼間におけるガイドの役割や、床を適当に区画させる役割を果たすようにすることも可能である。
【００３５】
また、上記のように床Ｆの上に敷設された床用シート材Ａを交換させるにあたっては、タイルカーペット１０の辺に取り付けられたガイド部材２０を持って、この床用シート材Ａを床Ｆから簡単に剥離させることができ、床Ｆの上に敷設された床用シート材Ａを交換する作業が容易に行えるようになる。
【図面の簡単な説明】
【００３６】
【図１】この発明の実施形態に係る床用シート材において、シート材に用いるタイルカーペットを示した断面説明図である。
【図２】上記の実施形態に係る床用シート材において、タイルカーペットの一辺にガイド部材を取り付けた例を示した概略平面図である。
【図３】上記の実施形態に係る床用シート材において、タイルカーペットの対向する二辺にガイド部材を取り付けた例を示した概略平面図である。
【図４】上記の実施形態に係る床用シート材において、タイルカーペットの交差する二辺にガイド部材を取り付けた例を示した概略平面図である。
【図５】上記の実施形態に係る床用シート材において、タイルカーペットの辺にガイド部材を取り付ける第１の例を示した断面説明図である。
【図６】上記の実施形態に係る床用シート材において、タイルカーペットの辺にガイド部材を取り付ける第２の例を示した断面説明図である。
【図７】上記の実施形態に係る床用シート材において、タイルカーペットの辺にガイド部材を取り付ける第３の例を示した断面説明図である。
【図８】上記の実施形態に係る床用シート材を床の上に敷設した状態を示した断面説明図である。
【図９】上記の実施形態に係る床用シート材を床の上に敷設させると共に、上記のガイド部材の収容部に発光部材を収容させた状態を示した断面説明図である。
【符号の説明】
【００３７】
Ａ  床用シート材
Ｆ  床
１０  タイルカーペット（シート材）
１１  パイル
１２  基布
１３  裏打ち材
１３ａ  結合層
１３ｂ  補強布
１３ｃ  バッキング材
２０  ガイド部材
２１  収容凹部
２２  保持部
３０  発光部材
３１  外装体
３２  発光体
【図１】
0005044371.tif 000002
【図２】
0005044371.tif 000003
【図３】
0005044371.tif 000004
【図４】
0005044371.tif 000005
【図５】
0005044371.tif 000006
【図６】
0005044371.tif 000007
【図７】
0005044371.tif 000008
【図８】
0005044371.tif 000009
【図９】
0005044371.tif 000010